(57)【要約】【課題】水を活水化させ、洗濯槽、脱水槽裏側面の黒カビ発生防止に効果のある洗濯機の除菌用磁気活水装置にすること。【解決の手段】給水路側面に複数個の永久磁石を取り付け、水に同一極の磁力Ｎ極をあたえ、正電荷を帯びた活水にする。【選択図】　　　図１
2004141588.tif 000002
【特許請求の範囲】
【請求項１】
永久磁石（５）を用いて、給水口（１）から散水口本体（２）間の給水路側面（４）に取り付けた、洗濯機の除菌磁気活水装置。
【請求項２】
永久磁石（５）を用いて、散水口本体（２）の給水路側面（７）に取り付けた、洗濯機の除菌磁気活水装置。
【請求項３】
前記した永久磁石（５）を、用いて給水路側面（４，７）に複数個取り付けをしていることを特徴とする、洗濯機の除菌磁気活水装置。
【請求項４】
前記した永久磁石（５）は、Ｎ極（６）のみを、給水路側面（４，７）に取り付けていることを特徴とする、洗濯機の除菌磁気活水装置。
【発明の詳細な説明】
【０００１】
【発明の属する技術分野】
本発明は、永久磁石を用いて、水を活水化させる、洗濯機の除菌磁気活水装置に関するものである。
【０００２】
【従来の技術】
従来の洗濯機においては、水をイオン交換樹脂などを用いて、活水化させている。
【０００３】
【発明が解決しようとする課題】
従来の洗濯機にあっては、洗濯するたびに黒かびが発生し、清潔であるべき衣類などに付着し、その原因となる黒かびの発生元は洗濯槽、脱水槽の裏側であって、発生を防止することができず、その黒かびを除去するには、化学薬品で洗浄を行なうしかなく、洗浄するも、すぐに、黒かびが発生し、その都度、化学薬品で洗浄し、環境を阻害し、薬品購入費が掛かる問題点があった。
【０００４】
【課題を解決するための手段】
上記の問題点を解決するために、本発明は、洗濯の都度、衣類などに、黒かびの付着によるカビ汚染がなく、永久磁石を用いて、給水路側面に簡単に取り付けすることが容易で、黒かびの発生原因となる洗剤などに、活水化された正の電荷を持つ、水を使用することで、衣類などに、黒かびの付着、カビ汚染を無くすることができる。
【０００５】
【発明の実施の形態】
本発明は、永久磁石を用いて、洗濯機の給水口から散水口本体間の給水路側面に取り付けて、水を活水化させ、黒かびの発生を防止したものである。
【０００６】
上記の、永久磁石を取り付ける位置は、給水口から散水口本体間の給水路となる側面に取り付けすることで、給水路内の流れる水に効果的に磁力をあたえることができる。
【０００７】
永久磁石の給水路側面取り付けは、単数個より、複数個を取り付けることによって多くの磁場ができ、磁場を通過する水に多くの磁力あたえることで、強い電荷をもつ活水にすることができる。
【０００８】
そして、永久磁石のＮ極面を給水路側面に取り付けることで、水に同極のＮ極のみをあたえることで正電荷を持った活水がえられる。
【実施例】
実施例について図面を参照して説明すると、図１は本発明の洗濯機の除菌磁気活水装置取り付けた平面図、図２は本発明を給水口から散水口本体間の給水路側面に取り付けたＡ−Ｂ詳細断面図、図３は本発明を散水口本体の給水路側面に取り付けたＣ−Ｄ詳細断面図である。
【０００９】
これらの図にあって、永久磁石（５）複数個を用いて、洗濯機の給水口（１）から散水口本体（２）間の給水路側面（４）と、散水口本体（２）の給水路側面（７）に取り付ているもので、給水路（３）の形状は、丸形、正方形など、とらわれず、給水路側面（４、７）に接する永久磁石（５）の面は、いずれもＮ極（６）で、取り付けをしている。
【００１０】
図１に示され実施例は、給水口（１）から散水口本体（２）の給水路側面（４）に、取り付ける永久磁石（５）は、取り付けを容易にするために周囲を樹脂成型加工（８）ほどこし、その一体化した永久磁石（５）を、給水路（３）の上下を跨ぎ、樹脂成型加工（８）された左右の上下をビス（９）で固着し、なお、散水口本体（２）の、給水路側面（７）には、永久磁石（５）を取り付けすることの出来る収納ボックス（１０）を、散水口本体（２）といっしょに樹脂成型加工（８）で設け、その収納ボックスに、上部より永久磁石（５）を挿入し取り付け板（１１）で上部を固定し、ビス（９）で取り付けをしている。
【００１１】
図２に示され実施例は、永久磁石（５）複数個を、給水路側面（４）に、取り付け、複数個の磁力Ｎ極（６）の面を給水路側面（４）に接し、その周囲を樹脂成型加工（８）で覆い給水路（３）を上下より挟み込み、ビス（９）で固着をしている。
【００１２】
図３に示され実施例は、散水口本体（２）の給水路側面（７）にある永久磁石収納ボックス（１０）に、永久磁石（５）のＮ極（６）面を給水路側面（７）に向けて挿入し、上部より取り付け板（１１）で装着し、取り付け板（１１）の左右をビス（９）で固着している。
【発明の効果】
本発明は、以上説明したような形態で実施され、以下に記載されるような効果を奏する。
【００１３】
複数個の永久磁石を、給水路側面、散水口本体側面に、容易に取り付けすることができる樹脂成型加工などを用いることで、複数個の永久磁石を一体化した部品にすることでができ、組込みが簡単で、新たな配線工事、高価な取付費、故障も発生せず、材料費も安価で最終ユーザに多額の負担なく、電気代もなく、この簡単な構造を採用することによって、水を活水化させ、洗濯槽、脱水槽の裏側面に付着する黒かびの発生を防止することができる。
【００１４】
永久磁石複数個の、取り付けをする給水路側面と接する面には、永久磁石のＮ極の同極を取り付けすることで、配水管内に流れる水にＮ極のみの磁力をあたえることができ、水の持つている負の電荷帯びた水を、Ｎ極の磁力で正の電荷に変え、変ることによって、水の表面張力が小さくなり、水和が増え、水の溶解力が増し、黒かびの胞子に電位差をあたえ、黒かびの発生防止に、効力を発揮する活水にすることができる。
【図面の簡単な説明】
【図１】除菌磁気活水装置取付の平面図である。
【図２】除菌磁気活水装置取付部の実施例を示すＡ−Ｂ断面図である。
【図３】除菌磁気活水装置取付部の実施例を示すＣ−Ｄ断面図である。
【符号の説明】
１　給水口
２　散水口本体
３　給水路
４　給水路側面
５　永久磁石
６　Ｎ極
７　給水路側面
８　樹脂成型加工
９　ビス
１０　収納ボックス
１１　取り付け板
【図１】
2004141588.tif 000003
【図２】
2004141588.tif 000004
【図３】
2004141588.tif 000005
【手続補正書】
【提出日】平成15年1月22日(2003.1.22)
【手続補正１】
【補正対象書類名】明細書
【補正対象項目名】全文
【補正方法】変更
【補正の内容】
【特許請求の範囲】
【請求項１】永久磁石（５）を用いて、洗濯機の給水口（１）から散水口本体（２）間の給水路側面（４）に取り付けた、洗濯機の除菌用磁気活水装置。
【請求項２】永久磁石（５）を用いて、洗濯機に取り付けてある散水口本体（２）の給水路側面（７）に取り付けた、洗濯機の除菌用磁気活水装置。
【請求項３】前記した永久磁石（５）を用いて、洗濯機の給水路側面（４，７）周囲に、複数個取り付けをしていることを特徴とする、洗濯機の除菌用磁気活水装置。
【請求項４】前記した永久磁石（５）は、Ｎ極（６）面のみを、給水路側面（４，７）周囲に取り付けていることを特徴とする、洗濯機の除菌用磁気活水装置。
【発明の詳細な説明】
【０００１】
【発明の属する技術分野】
本発明は、永久磁石を用いて、水を活水化させる、洗濯機の除菌用磁気活水装置に関するものである。
【０００２】
【従来の技術】
従来の洗濯機においては、水をイオン交換樹脂などを用いて、活水化させている。
【０００３】
【発明が解決しようとする課題】
従来の洗濯機にあっては、購入使用後６ヶ月目から黒カビの汚染が始まり、洗濯するたびに黒カビが発生し、清潔であるべき衣類などに付着し、その原因となる黒カビの発生元は洗濯槽、脱水槽の裏側であって、清掃したくても構造上簡単に分解し清掃することができず、その黒カビを除去するには、化学薬品で洗浄を行なうしかなく洗浄しても、すぐに、黒カビが発生し、その都度、化学薬品で洗浄することになり、環境を阻害し、薬品購入費が掛かる問題点があった。
【０００４】
【課題を解決するための手段】
上記の問題点を解決するために、本発明は、洗濯の都度、衣類などに、付着する、黒カビによる、カビ汚染がない洗濯機にするには、永久磁石を用いて、洗濯機の水を活水化すること、その水を活水化するには、洗濯機の給水路側面に永久磁石を取り付けすることで、水を活水化させ、黒カビの発生原因となる負の電荷を持つカビ菌などに、活水化された正の電荷を持つ水を使用することで、衣類などに、付着する黒カビのカビ汚染を無くすることができる。
【０００５】
【発明の実施の形態】
本発明は、永久磁石を用いて、洗濯機の給水口から散水口本体間の給水路側面に取り付けて、水を活水化させ、黒カビの発生を防止したものである。
【０００６】
上記の、永久磁石を取り付ける位置は、給水口から散水口本体間の給水路となる側面に取り付けることで、給水路内の流れる水に効果的に磁力をあたえることができる。
【０００７】
給水路側面の取り付ける永久磁石は、単数個より、複数個を取り付けることによって多くの磁場ができ、磁場を通過する水に多くの磁力を与えることで、強い電荷を持った活水にすることができる。
【０００８】
そして、永久磁石のＮ極面を給水路側面に取り付けることで、水に同極のＮ極のみをあたえることで正電荷を持った活水がえられる。
【実施例】
実施例について図面を参照して説明すると、図１は本発明の洗濯機の除菌用磁気活水装置を取り付けた平面図、図２は本発明を給水口から散水口本体間の給水路側面に取り付けたＡ−Ｂ詳細断面図、図３は本発明を散水口本体の給水路側面に取り付けたＣ−Ｄ詳細断面図である。
【０００９】
これらの図にあって、永久磁石（５）複数個を用いて、洗濯機の給水口（１）から散水口本体（２）間の給水路側面（４）と、散水口本体（２）の給水路側面（７）に取り付ているもので、給水路（３）の形状は、丸形、正方形など、とらわれず、給水路側面（４、７）に接する永久磁石（５）の面は、いずれもＮ極（６）で、取り付けをしている。
【００１０】
図１に示され実施例は、給水口（１）から散水口本体（２）の給水路側面（４）に、取り付ける永久磁石（５）は、取り付けを容易にするために周囲を樹脂成型加工（８）をほどこし、その一体化した永久磁石（５）を、給水路（３）の上下を跨ぎ、樹脂成型加工（８）された左右の上下をビス（９）で固着し、なお、散水口本体（２）の、給水路側面（７）には、永久磁石（５）を取り付けることの出来る収納ボックス（１０）を、散水口本体（２）といっしょに樹脂成型加工（８）で設け、その収納ボックスに、上部より永久磁石（５）を挿入し取り付け板（１１）で上部を固定し、ビス（９）で取り付けをしている。
【００１１】
図２に示された実施例は、永久磁石（５）複数個を、給水路側面（４）に、取り付け、永久磁石（５）のＮ極（６）面を給水路側面（４）に接し、その周囲を樹脂成型加工（８）で覆い給水路（３）を上下より挟み込み、ビス（９）で固着をしている。
【００１２】
図３に示され実施例は、散水口本体（２）の給水路側面（７）にある永久磁石収納ボックス（１０）に、永久磁石（５）のＮ極（６）面を給水路側面（７）に向けて挿入し、上部より取り付け板（１１）で装着し、取り付け板（１１）の左右をビス（９）で固着している。
【発明の効果】
本発明は、以上説明したような形態で実施され、以下に記載されるような効果を奏する。
【００１３】
複数個の永久磁石を、給水路側面、散水口本体側面に、容易に取り付けることができる樹脂成型加工などを用いることで、複数個の永久磁石を一体化した部品にすることでができ、組込みが簡単で、新たな配線工事、高価な取付費、故障も発生せず、材料費も安価で最終ユーザに多額の負担なく、電気代もなく、この簡単な構造を採用することによって、水を活水化させ、洗濯槽、脱水槽の裏側面に付着する黒かびの発生を防止することができる。
【００１４】
永久磁石複数個の、取り付けをする給水路側面と接する面には、永久磁石のＮ極の同極を取り付けることで、配水管内に流れる水にＮ極のみの磁力をあたえることができ、水の持つている負の電荷を帯びた水を、Ｎ極の磁力で正の電荷に変え、変ることによって、水の表面張力が小さくなり、水和が増え、水の溶解力が増し、黒カビの胞子に電位差をあたえ、黒カビの発生防止に、効力を発揮する活水にすることができる。
【図面の簡単な説明】
【図１】除菌用磁気活水装置取付の平面図である。
【図２】除菌用磁気活水装置取付部の実施例を示すＡ−Ｂ断面図である。
【図３】除菌用磁気活水装置取付部の実施例を示すＣ−Ｄ断面図である。
【符号の説明】
１　給水口
２　散水口本体
３　給水路
４　給水路側面
５　永久磁石
６　Ｎ極
７　給水路側面
８　樹脂成型加工
９　ビス
１０　収納ボックス
１１　取り付け板